(57)【要約】      （修正有）【課題】薬剤パックや身分証、或いは紙幣、小銭等を入れることができ、ベルトに腰部に対する理学療法作用と重要物品の収容・携帯機能を兼備させた多機能ベルトを提供する。【解決手段】長い形状をなした片体の一面に、薬剤パックを入れるための収容部が設けられ、片体の他面の中央及び両側に、物品収納用の第１収納袋１２、第２収納袋１３がそれぞれ設けられ、他面の両端に、内側に向かって延伸されたメス面ファスナー１４がそれぞれ設けられ、他面の中央に、両端に向かって延伸された伸縮バンド１５が設けられ、伸縮バンド１５の端部に、メス面ファスナー１４と相互に粘着されるオス面ファスナー１６が設けられている。【選択図】図２
0003176172.tif 000002
【実用新案登録請求の範囲】
【請求項１】
腰部に対する理学療法作用と重要物品の収容・携帯機能を兼備した多機能ベルトであって、
長い形状をなした片体の一面に、薬剤パックを入れるための収容部が設けられ、
前記片体の他面の中央及び両側に、物品収納用の第１収納袋、第２収納袋がそれぞれ設けられ、
前記他面の両端に、内側に向かって延伸されたメス面ファスナーがそれぞれ設けられ、
前記他面の中央に、両端に向かって延伸された伸縮バンドが設けられ、
前記伸縮バンドの端部に、前記メス面ファスナーと相互に粘着されるオス面ファスナーが設けられた、
ことを特徴とする多機能ベルト。
【請求項２】
前記第１収納袋の開口部と前記第２収納袋の開口部とにそれぞれファスナーを設置した、
ことを特徴とする請求項１に記載の多機能ベルト。
【請求項３】
前記伸縮バンドが、前記片体の他面の前記第１収納袋の両側から前記片体の両端に向かって延伸される、
ことを特徴とする請求項１に記載の多機能ベルト。
【考案の詳細な説明】
【技術分野】
【０００１】
本考案は、特に、薬剤パックや身分証、或いは紙幣、小銭等を入れることができ、伸縮バンドの伸縮調整及びオス・メス面ファスナーの相互の粘着により腰に装着し、ベルトに腰部の理学療法作用及び重要物品の収容・携帯機能を兼備させた多機能ベルトに関する。
【背景技術】
【０００２】
一般に、腰部に装着し、理学療法作用を発揮するベルトの構造は、通常磁性部材や薬剤等が設置され、使用時にそれを腰部に装着することで、磁性部材や薬剤等に腰部に対して一定程度の理学療法作用を発揮させている。
【考案の概要】
【考案が解決しようとする課題】
【０００３】
しかしながら、従来のベルトは理学療法作用のほか、その他付加的な使用機能はなく、１つのベルトとして実用価値が比較的低く、理想的ではない。出願人はこれに鑑み、関連業務に従事した長年の経験に基づき、絶えず研究と実験を重ね、ベルトに腰部の理学療法作用と重要物品の収容・携帯機能を兼備させた多機能ベルトを生み出したものである。
【０００４】
そこで、本考案は、これに鑑みてなされたもので、その目的は、薬剤パックや身分証、或いは紙幣、小銭等を入れることができ、伸縮バンドの伸縮調整と、オス・メス面ファスナーの相互の粘着によって腰部に装着され、ベルトに腰部に対する理学療法作用と重要物品の収容・携帯機能を兼備させることで、ベルトの実用価値を高めた、多機能ベルトを提供することにある。
【課題を解決するための手段】
【０００５】
本考案の多機能ベルトは、長い形状をなした片体の一面に、薬剤パックを入れるための収容部が設けられ、前記片体の他面の中央及び両側に、物品収納用の第１収納袋、第２収納袋がそれぞれ設けられ、前記他面の両端に、内側に向かって延伸されたメス面ファスナーがそれぞれ設けられ、前記他面の中央に、両端に向かって延伸された伸縮バンドが設けられ、前記伸縮バンドの端部に、前記メス面ファスナーと相互に粘着されるオス面ファスナーが設けられた、ことを特徴とする。
【０００６】
前記第１収納袋の開口部と前記第２収納袋の開口部とにそれぞれファスナーを設置するとよい。前記伸縮バンドが、前記片体の他面の前記第１収納袋の両側から前記片体の両端に向かって延伸される構成とするとよい。
【考案の効果】
【０００７】
本考案の多機能ベルトによれば、収容部に薬剤パックを入れ、第１収納袋、第２収納袋に例えば、身分証や紙幣、小銭などの重要物品を入れることができ、伸縮バンドの伸縮調整と、オス・メス面ファスナーの相互の粘着によって腰部に装着することができる。このように、ベルトに腰部に対する理学療法作用及び重要物品の収容・携帯機能を兼備させることができる。
【図面の簡単な説明】
【０００８】
【図１】本考案の実施形態に係る多機能ベルトを一面側から示す斜視図である。
【図２】同上の実施形態に係る多機能ベルトを他面側から示す斜視図である。
【図３】多機能ベルトの使用例を示す斜視図である。
【図４】多機能ベルトの別の使用例を示す斜視図である。
【図５】腰部に装着した状態を示す図である。
【考案を実施するための最良の形態】
【０００９】
以下、図面を参照して本考案の実施の形態を説明する。図１は本考案の実施形態に係る多機能ベルトを一面側から示す斜視図である。また、図２は同上の実施形態に係る多機能ベルトを他面側から示す斜視図である。
【００１０】
図１乃至図２に示すように、本考案の多機能ベルト１００は長い形状をなした片体１の一面に、薬剤パックを入れるための収容部１１が設けられている。本実施形態において、収容部１１は中央位置に設けられ、且つその開口が片体１の長手方向の一側に設けられる。片体１の他面の中央には第１収納袋１２が設けられ、片体１の他面の両側には第２収納袋１３がそれぞれ設けられている。第１収納袋１２と第２収納袋１３の開口部にはファスナー１２１、１３１がそれぞれ設けられ、片体１の他面の両端に端部から内側に向かって延伸されたメス面ファスナー１４がそれぞれ設けられている。
【００１１】
片体１の他面の中央位置の第１収納袋１２の両側には、両端に向かって延伸された伸縮バンド１５が設けられ、伸縮バンド１５の端部にはオス面ファスナー１６がそれぞれ設けられている。
【００１２】
前述の構成部材の組み合わせにより、多機能ベルト１００が構成される。図３は多機能ベルトの使用例を示す斜視図である。図４は多機能ベルトの別の使用例を示す斜視図である。収容部１１の内部には薬剤パックやエネルギーパッチを入れることができ、第１収納袋１２、第２収納袋１３には身分証や紙幣、小銭等の重要物品を入れることができる。そうして、伸縮バンド１５の伸縮調整と、オス面ファスナー１６、メス面ファスナー１４の相互の粘着によって腰部に装着され、ベルトに腰部の理学療法作用及び重要物品の収容・携帯機能を兼備させる。
【００１３】
図３乃至図４に示すように、使用時には、多機能ベルト１００の収容部１１内に薬剤パック２またはエネルギーパッチ２ａ（遠赤外線セラミック片等）を入れ、他面の第１収納袋１２、第２収納袋１３には身分証３や紙幣４、小銭等の重要物品を入れて、ファスナー１２１、１３１を閉じれば、重要物品を隠して収納することができる。
【００１４】
多機能ベルト１００を腰部に当てた後、伸縮バンド１５を伸縮調整し、伸縮バンド１５に設置されたオス面ファスナー１６と、片体１に設置されたメス面ファスナー１４を相互に粘着させることで、多機能ベルト１００を腰部に装着することができ、これにより薬剤パック２やエネルギーパッチ２ａで腰部に対する理学療法、保健の作用を形成し、且つ重要な物品を肌身離さず携帯することができる。
【００１５】
図５は本考案の多機能ベルトを腰部に装着した状態を示す図である。図１、図２及び図５を参照すると、本考案は使用時に、多機能ベルト１００の収容部１１内に薬剤パック２を入れ、かつ第１収納袋１２、第２収納袋１３に身分証３や紙幣４、小銭等の重要物品を入れた後、多機能ベルト１００の収容部１１を腰部に当て、伸縮バンド１５の伸縮調整と、伸縮バンド１５に設置されたオス面ファスナー１６と片体１に設置されたメス面ファスナー１４を相互に粘着させることで、多機能ベルト１００を腰部に装着することができる。
【００１６】
これにより、前記収容部１１は片体１の内側に位置し、薬剤パック２が身体に密着されて腰部に対する理学療法作用を構成し、第１収納袋１２、第２収納袋１３は片体１の外側に位置し、携帯している物品を取り出して使用する必要があるとき、ファスナー１２１、１３１を開けて随時取り出すことができ、非常に便利であると同時に、隠す効果も備えているため、外出時に窃盗やスリの被害を防止することができる。
【００１７】
上述をまとめると、本考案は収容部及び収納袋を設置した片体に、伸縮可能な面ファスナー部材を組み合わせて多機能ベルトを構成し、薬剤パックや身分証、紙幣、小銭等を入れることができ、伸縮バンドの伸縮調整と、オス・メス面ファスナーの相互の粘着によって腰部に装着され、ベルトに腰部の理学療法作用と重要物品の収容・携帯機能を兼備させる。
【００１８】
以上の説明は、本考案の最良の実施例に過ぎず、本考案の実施の範囲を限定するものではなく、当業者が本考案の要旨と範囲を逸脱せずに行なった同等の変化や修飾はすべて本考案の権利範囲内に含まれる。
【符号の説明】
【００１９】
１  片体
１１  収容部
１２  第１収納袋
１２１  ファスナー
１３  第２収納袋
１３１  ファスナー
１４  メス面ファスナー
１５  伸縮バンド
１６  オス面ファスナー
２  薬剤パック
２ａ  エネルギーパッチ
３  身分証
４  紙幣
１００  多機能ベルト
【図１】
0003176172.tif 000003
【図２】
0003176172.tif 000004
【図３】
0003176172.tif 000005
【図４】
0003176172.tif 000006
【図５】
0003176172.tif 000007